(57)【特許請求の範囲】
【請求項１】
長手方向に延在する水平状の取付け板部と、該取付け板部の一端から垂直状に立上がり、かつ上端を折返して補強縁を形成した仕切り板部とを備えてなる断面Ｌ形の長尺状金属薄板の、その取付け板部に、一辺を仕切り板部の下端位置に一致させた矩形状をなす複数の切欠孔を、長手方向に沿って所定間隔で形成し、該取付け板部の切欠孔の外側傍部に生じる狭幅状連結縁を、必要に応じて切断されて前記切欠孔を開放する切断代とするとともに、前記切欠孔間及び両端部にアンカー挿通用の透孔を形成してなり、
突き合わされた両端部の各透孔に対して重ね合わせ方向で一致する二つの挿通孔が形成されたジョイント金具を介して、重ね合わされた透孔と挿通孔にアンカーを打ち込むことにより長手方向で連結されることを特徴とする舗装用仕切り材。
【発明の詳細な説明】
【０００１】
【発明の属する技術分野】
本発明は、舗装工事において舗装領域を仕切り、舗装材の端部を保持するために使用する舗装用仕切り材に関する。
【０００２】
【従来の技術】
縁石やコンクリートの縁取り壁が設置されない道路，歩道、駐車場等の舗装工事を行う場合にあって、在来工法では舗装領域の縁部に沿って複数の木杭を所定間隔で打込み、この木杭に木製の仕切り板を差し渡して釘で打ち付けることにより舗装領域を仕切っている。そして、この仕切り板によって、舗装領域内に敷設されるブロック，アスファルト等の舗装材の外端を位置決めし、また、舗装材の上面を転圧する際に該舗装材の端部を保持させるようにしている。
【０００３】
【発明が解決しようとする課題】
ところで、上記のような在来工法に使用される仕切り板にあっては、まず、木杭を打込み、次にこの木杭に対して仕切り板を釘で打ち付けているため、その設置作業が面倒で時間と手間がかかり、作業能率が悪いという問題点があった。また、仕切り板が木製の平板であるため、屈曲せず、舗装領域の縁部が曲線状である場合には、簡単に対応できないという問題点があった。
【０００４】
一方、このような在来工法の仕切り板に代わるものとして、金属製の仕切り板に金属パイプ等からなるアンカー挿入部を設け、該アンカー挿入部に挿通したアンカーを側方からアンカー挿入部に螺挿される止めねじによって係止するようにしたものが、実開平６ー７４６０９号公報等によって提案されているが、構造が複雑で、コストが高いという難点がある。
【０００５】
本発明は、かかる従来の問題点を解消し得る舗装用仕切り材の提供を目的とするものである。
【０００６】
【課題を解決するための手段】
本発明は、長手方向に延在する水平状の取付け板部と、該取付け板部の一端から垂直状に立上がり、かつ上端を折返して補強縁を形成した仕切り板部とを備えてなる断面Ｌ形の長尺状金属薄板の、その取付け板部に、一辺を仕切り板部の下端位置に一致させた矩形状をなす複数の切欠孔を、長手方向に沿って所定間隔で形成し、該取付け板部の切欠孔の外側傍部に生じる狭幅状連結縁を、必要に応じて切断されて前記切欠孔を開放する切断代とするとともに、前記切欠孔間及び両端部にアンカー挿通用の透孔を形成してなり、
突き合わされた両端部の各透孔に対して重ね合わせ方向で一致する二つの挿通孔が形成されたジョイント金具を介して、重ね合わされた透孔と挿通孔にアンカーを打ち込むことにより長手方向で連結されることを特徴とする舗装用仕切り材である。
【０００７】
かかる構成にあって、舗装領域の縁部を直線状に施工する場合には、舗装用仕切り材を、そのまま舗装領域の縁部となる地盤上に置き、取付け板部の透孔に挿通したアンカーを地盤に打込むことにより、舗装用仕切り材を地盤に固定する。これにより、仕切り板部が舗装領域の縁部に沿って立設し、該仕切り板部によって舗装領域の縁部を直線状に仕切ることができる。また、舗装領域の縁部を曲線状に施工する場合には、取付け板部に設けられた切断代としての狭幅状連結縁を切断することにより、仕切り板部を自由に湾曲させることができる。ここで、舗装用仕切り材が金属製であることにより、その塑性変形によって湾曲状態が保持され、舗装領域の縁部の曲線形状に簡単に一致させることができる。そして、このように予め湾曲させた舗装用仕切り材を、上記と同様にアンカーによって地盤へ固定することにより、仕切り板部が舗装領域の縁部に沿って立設し、該仕切り板部によって舗装領域の縁部を曲線状に仕切ることができる。
【０００８】
また、上記構成において、前記切欠孔を、直線状の一辺を備えた孔形状に形成し、その一辺を仕切り板部の下端位置に一致させて設けることにより、狭幅状連結縁を切断すると、取付け板部の抵抗を受けることなく、仕切り板部をその厚み方向へ容易に湾曲させることができる。
【０００９】
さらに、上記構成において、前記仕切り板部の上端を折返して補強縁を形成することにより、仕切り板部の強度が向上し、その堅牢性をさらに高めることができるとともに、仕切り板部の湾曲操作時において、加えた力が補強縁によって分散され、局部的に仕切り板部が屈曲することなく、全体を均整に湾曲させることができる。また、安全性が向上し、仕切り板部の上端で手を切るような不具合を防止することができる。
【００１０】
【発明の実施の形態】
本発明にかかる舗装用仕切り材１は、図２，図３に示すように、長手方向に延在する水平状の取付け板部２と、該取付け板部２の一端から垂直状に立上がる仕切り板部３とを備えてなる断面Ｌ形の長尺状金属薄板４の、その取付け板部２に、複数の切欠孔５を長手方向に沿って所定間隔で形成し、該取付け板部２の切欠孔５の外側傍部に生じる狭幅状連結縁６を、必要に応じて切断されて前記切欠孔５を開放する切断代７とするとともに、前記切欠孔５間にアンカー挿通用の透孔８を形成したことを特徴としている。
【００１１】
以下に、上記舗装用仕切り材１の具体的な一実施例を、図１〜図３について説明する。
図面において、４は、断面Ｌ形に形成された長尺状金属薄板であって、該長尺状金属薄板４は、長尺な帯板状の金属薄板を断面Ｌ形に折曲したものである。この長尺状金属薄板４の素材としては、長さ2000mm程度，幅 125mm程度，厚さ 1.2mm程度のステンレス，スチール等の鋼板が好適に使用され得る。この長尺状金属薄板４は、長手方向に延在する水平状の取付け板部２と、該取付け板部２の一端から垂直状に立上がる仕切り板部３とを備えており、取付け板部２には、複数の切欠孔５が長手方向に沿って所定間隔で形成されている。そして、この切欠孔５の形成により、各切欠孔５の外側傍部に狭幅状連結縁６を生じさせ、該狭幅状連結縁６を必要に応じて切断し得る切断代７としている。この切断代７を切断すると前記切欠孔５が開放されることとなる。
【００１２】
前記各切欠孔５は、矩形状に形成されており、その一辺が仕切り板部３の下端位置に一致するように配設されている。また、取付け板部２には、各切欠孔５間に位置させて後述のアンカー９を挿通するための透孔８が夫々形成されている。さらに、前記仕切り板部３には、ヘミング曲げ加工によりその上端を折返して補強縁１０が形成されている。該補強縁１０により、仕切り板部３の強度を向上させ、その堅牢性をさらに高めることができるとともに、安全性を向上させ、仕切り板部３の上端で手を切るような不具合を防止し得るようにしている。
【００１３】
このような構成からなる舗装用仕切り材１を製造するには、まず帯板状の金属薄板の取付け板部２となる一側縁に、プレス装置による打ち抜き加工によって切欠孔５と透孔８とを同時に形成し、次に金属薄板の他側縁の端部をプレス装置によるヘミング曲げ加工によって折返して補強縁１０を形成する。この後、金属薄板の幅方向の中間部で、切欠孔５の内側の一辺に一致する位置をプレス装置による曲げ加工によって略直角に折曲する。これにより、前記舗装用仕切り材１を簡単に製造することができる。
【００１４】
次に、本発明にかかる舗装用仕切り材１の使用方法及び作用について説明する。
図４は、本発明の舗装用仕切り材１を用いた舗装の施工状態を示し、地盤１１上に砂利，砕石等のクラッシャラン１２が敷き詰められ、このクラッシャラン１２上に敷き込まれたクッション砂１３上にインターロッキングブロックからなる舗装材１４が敷設されており、該舗装材１４の外端が舗装用仕切り材１によって位置決めされている。
【００１５】
このような舗装を行う場合にあって、舗装領域の縁部を直線状に施工する場合には、まず、地盤１１上にクラッシャラン１２を敷き詰めて舗装領域を整え、この舗装領域の縁部に沿って直線状の舗装用仕切り材１をそのまま載置する。次に、取付け板部２の透孔８に略釘状に形成されたアンカー９を挿通し、該アンカー９をクラッシャラン１２の上から地盤１１に打込み、舗装用仕切り材１を固定する。これにより、仕切り板部３が舗装領域の縁部に沿って立設し、該仕切り板部３によって舗装領域の縁部を直線状に仕切ることができる。ここで、舗装領域の縁部が長く、複数の舗装用仕切り材１を連結して使用する必要がある場合には、図５に示すように、直列状に配置した両舗装用仕切り材１，１の端部を突き合わせ、この突き合わせた両端部をジョイント金具１５によって連結する。該ジョイント金具１５は、図６に示すように、断面Ｌ形に形成され、その水平板部１５’の両側に挿通孔１６，１６が夫々穿設されており、該挿通孔１６，１６は突き合わせた両舗装用仕切り材１，１の端部の各透孔８，８に一致する位置に設けられている。このジョイント金具１５を、突き合わせた両舗装用仕切り材１，１の両端部に跨がらせて乗載し、上下方向で一致する各挿通孔１６と透孔８に夫々アンカー９を挿通して地盤１１に打込むことにより、両舗装用仕切り材１，１を簡単に連結することができる。
【００１６】
そして、上記のように設置した舗装用仕切り材１の内側にクッション砂１３を敷き込む。この時、舗装領域の縁部に沿って立設された仕切り板部３によってクッション砂１３が堰止められ、その外側への流出が防止される。然る後、クッション砂１３上に舗装材１４としてのブロックを敷設する。この時、該ブロックの端部を仕切り板部３に当接させることにより、該ブロックが簡単に位置決めされ、各ブロックを舗装領域の縁部に沿って直線状に整然と敷設することができる。そして最後に敷設したブロックからなる舗装材１４の上面に転圧を施して舗装面を仕上げる。この時、舗装用仕切り材１が金属製であり、優れた堅牢性を備えていることにより、転圧による側方からの圧力が仕切り板部３に加えられても、これに耐え、舗装材１４の端部を堅固に保持することができる。
【００１７】
一方、舗装領域の縁部を曲線状に施工する場合には、取付け板部２に設けられた切断代７としての狭幅状連結縁６を切断することにより、図７イ，ロに示すように、仕切り板部２を自由に湾曲させることができる。ここで、舗装用仕切り材１が金属製であることにより、その塑性変形によって湾曲状態が保持され、舗装領域の縁部の曲線形状に簡単に一致させることができる。また、切欠孔５の一辺が仕切り板部３の下端位置に一致させて設けられていることにより、狭幅状連結縁６を切断すると、取付け板部２の抵抗を受けることなく、仕切り板部３をその厚み方向へ容易に湾曲させることができる。さらに、仕切り板部３の上端に補強縁１０が形成されていることにより、仕切り板部３の湾曲操作時において、加えた力が補強縁１０によって分散され、仕切り板部３に局部的な屈曲が生じることなく、その全体を均整に湾曲させることができる。
【００１８】
そして、このように予め湾曲させた舗装用仕切り材１を、上記と同様にアンカー９によって地盤１１へ固定することにより、仕切り板部３が舗装領域の縁部に沿って立設し、該仕切り板部３によって舗装領域の縁部を曲線状に仕切ることができる。そして、この仕切り板部３の内側に充填した舗装材１４の上面を転圧する際に、ずれを生じることなく、該舗装材１４の端部を堅固に保持することができ、舗装材１４の縁部を所望の曲線形状に仕上げることができる。
【００１９】
また、図８イ，ロに示すように、狭幅状連結縁６の１箇所のみを切断して、仕切り板部３を略直角に折曲することにより、舗装領域のコーナー部の施工にも容易に対応することができる。
【００２０】
ところで、本発明に係る舗装用仕切り材１を合成樹脂により形成することも考えられるのであるが、合成樹脂製のものは熱に弱いという欠点がある。即ち、アスファルト舗装を行う場合において、合成樹脂製の舗装用仕切り材１によって舗装領域の縁部を仕切り、その仕切り板部３の内側に舗装材１４としての高温のアスファルトを充填すると、その熱によって仕切り板部３が変形してしまい、舗装材１４の保持作用が得られない。このような不具合を除去するため、本発明に係る舗装用仕切り材１は金属薄板を用いて形成してあり、優れた耐熱性を備えたものとなっている。
【００２１】
尚、上記実施例では、取付け板部２に矩形状の切欠孔５を形成した例を示したが、該切欠孔５は、直線状の一辺を備えた孔形状であればよい。図９イ，ロは、他の形状の切欠孔５を示し、図９イでは、切欠孔５が三角形に形成されており、図９ロでは、切欠孔５が半楕円形に形成されている。このような形状の切欠孔５を、その直線状の一辺を仕切り板部３の下端位置に一致させて配設することにより、狭幅状連結縁６を切断した状態で、取付け板部２の抵抗を受けることなく、仕切り板部３をその厚み方向へ容易に湾曲させることができる。
【００２２】
また、図１０に示すように、狭幅状連結縁６の外縁にＶ形の切欠溝１７を形成してもよい。これにより、狭幅状連結縁６を切断する場合に金鋸が該切欠溝１７に係合し、その切断位置がずれることなく、切断作業を容易に行うことができる。この切欠溝１７は、金鋸を係合して位置決めし得る形状であればよく、図示したようなＶ形に限定されるものではない。
【００２３】
【発明の効果】
本発明は上述のように、長手方向に延在する水平状の取付け板部２と、該取付け板部２の一端から垂直状に立上がる仕切り板部３とを備えてなる断面Ｌ形の長尺状金属薄板４の、その取付け板部２に、複数の切欠孔５を長手方向に沿って所定間隔で形成し、該取付け板部２の切欠孔５の外側傍部に生じる狭幅状連結縁６を、必要に応じて切断されて前記切欠孔５を開放する切断代７とするとともに、前記切欠孔５間にアンカー挿通用の透孔８を形成した舗装用仕切り材１であり、透孔８に挿通したアンカー９を地盤１１に打込むだけで舗装用仕切り材１を固定することができる。これにより、在来工法に比してその設置作業を簡単に行うことができ、作業能率を向上させることができる。また、帯板状の金属薄板に対するプレス加工によって舗装用仕切り材１を簡単に製造することができ、構造が単純であることと相俟って、低コストで提供することができる。
【００２４】
また、本発明に係る舗装用仕切り材１は、舗装領域の縁部を直線状に施工する場合に使用し得ることは勿論のこと、曲線状に施工する場合にも、切断代７としての狭幅状連結縁６を切断すると、仕切り板部３を湾曲させることができ、金属薄板の塑性変形によってその湾曲状態が保持されるため、舗装領域の縁部の曲線状の施工に簡単に対応することができる。
【００２５】
また、切欠孔５を、直線状の一辺を備えた孔形状に形成し、その一辺を仕切り板部３の下端位置に一致させて設けることにより、狭幅状連結縁６を切断すると、取付け板部２の抵抗を受けることなく、仕切り板部３をその厚み方向へ容易に湾曲させることができる。
【００２６】
さらに、仕切り板部３の上端を折返して補強縁１０を形成することにより、仕切り板部３の強度が向上し、その堅牢性をさらに高めることができるとともに、仕切り板部３の湾曲操作時において、加えた力が補強縁１０によって分散され、仕切り板部３が局部的に屈曲することなく、全体を均整に湾曲させることができる。また、安全性が向上し、仕切り板部３の上端で手を切るような不具合を防止することができる。
【００２７】
また、舗装用仕切り材１が金属製であることにより、熱によって変形せず、アスファルト舗装のように高温となる舗装材１４の施工にも使用し得る等の優れた効果がある。
【図面の簡単な説明】
【図１】本発明に係る舗装用仕切り材の全体平面図である。
【図２】同上の舗装用仕切り材の部分拡大平面図である。
【図３】同上の側断面図である。
【図４】施工状態の側断面図である。
【図５】舗装用仕切り材を連結した状態を示す平面図である。
【図６】舗装用仕切り材の連結部分の施工状態を示す側断面図である。
【図７】舗装用仕切り材を湾曲させた状態を示す平面図である。
【図８】舗装用仕切り材を略直角に折曲した状態を示す平面図である。
【図９】他の形状の切欠孔を備えた舗装用仕切り材の平面図である。
【図１０】Ｖ形の切欠溝を備えた舗装用仕切り材の平面図である。
【符号の説明】
１  舗装用仕切り材
２  取付け板部
３  仕切り板部
４  長尺状金属薄板
５  切欠孔
６  狭幅状連結縁
７  切断代
８  透孔
９  アンカー
１０  補強縁
【図１】
0004399050.tif 000002
【図２】
0004399050.tif 000003
【図３】
0004399050.tif 000004
【図４】
0004399050.tif 000005
【図５】
0004399050.tif 000006
【図６】
0004399050.tif 000007
【図７】
0004399050.tif 000008
【図８】
0004399050.tif 000009
【図９】
0004399050.tif 000010
【図１０】
0004399050.tif 000011